(57)【要約】【課題】内部に侵入した水を通常の使用動作で排出して、音響特性の劣化を防ぐことができる電子機器を提供する。【解決手段】第１の筐体１００において、レシーバ音孔２が開放されている状態である開状態から、第２の筐体２００がレシーバ音孔２を覆う状態である閉状態に変化した場合に、風圧によって空気が流入する位置にレシーバ音孔を設ける。また、第１の筐体１００において、レシーバ音孔２に流入した空気が流出するレシーバサブ音孔７を設ける。筐体内の水は、レシーバサブ音孔７から流出する空気と共に排出される。【選択図】図１
2008167097.tif 000002
【特許請求の範囲】
【請求項１】
音声を出力するレシーバ、および前記レシーバが出力した音声が通過する穴であるレシーバ音孔が設けられている第１の筐体と、音声を入力するマイクロフォン、および前記マイクロフォンに入力する音声が通過する穴であるマイクロフォン音孔が設けられている第２の筐体とを備え、前記レシーバ音孔が設けられている面と、前記マイクロフォン音孔が設けられている面とが対向するように前記第１の筐体と前記第２の筐体とが折り畳まれる構造の電子機器において、
前記レシーバ音孔は、前記レシーバ音孔が開放されている状態である開状態から、前記第２の筐体が前記レシーバ音孔を覆う状態である閉状態に変化した場合に、前記第２の筐体に対面する位置に設けられ、
前記第１の筐体には、前記第１の筐体内に停留した液体を前記レシーバ音孔に流入した空気によって流出させるためのレシーバサブ音孔が設けられた
ことを特徴とする電子機器。
【請求項２】
第１の筐体の内壁には、緩衝材を介してレシーバの端部と接する凸部が設けられ、
レシーバには、音声を出力する方向の面を覆う防水シートが設置され、
レシーバサブ音孔と連通し、レシーバ音孔に流入した空気が液体を押す空間であって、前記凸部と前記防水シートとに囲まれた空間である前気室が設けられた
請求項１記載の電子機器。
【請求項３】
第１の筐体には、レシーバ音孔が設けられている面である表面を覆うスクリーンカバーが設置され、
レシーバサブ音孔は、第１の筐体内に停留した液体が、前記表面と前記スクリーンカバーとの間を通って流出するように設けられた空間である
請求項１または請求項２記載の電子機器。
【請求項４】
レシーバサブ音孔は、第１の筐体内に停留した液体が、前記第１の筐体の内壁に設けられた凸部に形成された切り欠き部を通って流出するように設けられた空間である
請求項２記載の電子機器。
【請求項５】
第１の筐体には、閉状態でマイクロフォン音孔と対向しない位置にレシーバ音孔が設けられている
請求項１から請求項４のうちいずれか１項記載の電子機器。
【請求項６】
音声を出力するレシーバ、および前記レシーバが出力した音声が通過する穴であるレシーバ音孔が設けられている第１の筐体と、音声を入力するマイクロフォン、および前記マイクロフォンに入力する音声が通過する穴であるマイクロフォン音孔が設けられている第２の筐体とを備え、前記レシーバ音孔が設けられている面と、前記マイクロフォン音孔が設けられている面とが対向するように前記第１の筐体と前記第２の筐体とが折り畳まれる構造の電子機器において、
前記マイクロフォン音孔は、前記マイクロフォン音孔が開放されている状態である開状態から、前記第１の筐体が前記マイクロフォン音孔を覆う状態である閉状態に変化した場合に、前記第１の筐体に対面する位置に設けられ、
前記第２の筐体には、前記第２の筐体内に停留した液体を前記マイクロフォン音孔に流入した空気によって流出させるためのマイクロフォンサブ音孔が設けられた
ことを特徴とする電子機器。
【発明の詳細な説明】
【技術分野】
【０００１】
本発明は、スピーカ、レシーバ、またはマイクロフォンを備えた電子機器に関する。
【背景技術】
【０００２】
携帯電話機が、雨水が降りかかる屋外で使用されることがある。従来の携帯電話機には、通話相手の音声を出力するレシーバの内部に水が浸透することを防ぐために、防水シートが用いられている。
【０００３】
図５は、従来の携帯電話機の構造を示す説明図である。図５（ａ）は、従来の携帯電話機の正面図である。図５（ｂ）は、従来の携帯電話機の斜視図である。図５（ａ）および図５（ｂ）に示すように、従来の携帯電話機の筐体１４において、通話相手の音声を出力するレシーバ１１が設置されている位置に対応する位置に、レシーバ１１が出力した音声を放音させるためのレシーバ音孔２が設けられている。また、筐体１４におけるレシーバ音孔２が設けられている面に、表示部３およびカメラ部６（図５において図示せず）を覆うスクリーンカバー９が設置される。なお、スクリーンカバー９におけるレシーバ１１に対応する位置には、レシーバ音孔２が設けられている。
【０００４】
図５（ｃ）は、従来の携帯電話機の断面を示す断面図である。図５（ｃ）は、図５（ａ）においてＡ１とＡ２とを通る直線において切断された断面を示している。
【０００５】
図５（ｃ）に示すように、筐体１４の内部にレシーバ１１、および基板１６が設置されている。また、筐体１４およびスクリーンカバー９におけるレシーバ１１に対応する位置にはレシーバ音孔２が設けられている。
【０００６】
また、筐体１４の内壁において、レシーバ１１の端部に対応する位置には凸部が設けられており、クッション１２を介してレシーバ１１に接する。そして、レシーバ１１における音声を出力する面（レシーバ音孔２が設けられている方向の面）には、レシーバ１１が出力した音声に応じて振動するように、当該面を覆う防水シート１３が設置されている。
【０００７】
そして、筐体１４の内部には、防水シート１３、筐体１４の内壁、および筐体１４の内壁に設けられた凸部に囲まれた空間である前気室１５が設けられている。なお、レシーバ１１が出力した音声は、防水シート１３、前気室１５、およびレシーバ音孔２を介して筐体１４の外部に出力される。
【０００８】
なお、特許文献１には、２つの放音孔が設けられた携帯電子機器が記載されている。
【０００９】
特許文献２には、アンテナ収納部の下部に、当該アンテナ収納部に侵入した水を排出する穴が設けられた携帯電話機が記載されている。
【００１０】
【特許文献１】特開２００６−１５７４６４号公報（段落００１２〜００２４、図３）
【特許文献２】特開平８−２０４４１９号公報（段落００１１〜００１５、図１）
【発明の開示】
【発明が解決しようとする課題】
【００１１】
図５に示した従来の携帯電話機は、レシーバ音孔２から水が侵入した場合に、防水シート１３によってレシーバ１１への水の侵入を妨げるが、前気室１５には水が停留する。そして、前気室１５に水（水滴）が停留している状態でレシーバ１１が音声を出力すると、当該水が防水シート１３の振動を妨げるので、レシーバ音孔２を介して出力される音声に歪みが生じたり、音声が小さくなってしまったりする。つまり、前気室１５に水が停留するので、音圧が低下したり音質が劣化したりして、音響特性が劣化するという問題がある。
【００１２】
そして、前気室１５に停留した水を取り除くためには、使用者が携帯電話機を振ったりしてレシーバ音孔２から水を排出するか、レシーバ音孔２から水が蒸発するのを待つかしかなく、レシーバ音孔２から侵入した水を容易に排出することができないという問題がある。
【００１３】
また、特許文献１に記載されている携帯電子機器には、２つの放音孔をそれぞれ異なる面に形成しなければならないので、レシーバ等の実装位置等が制限されるという問題がある。
【００１４】
特許文献２に記載されている携帯電話機は、レシーバ音孔から侵入した水を排出することができないという問題がある。
【００１５】
そこで、本発明は、内部に侵入した水を通常の使用動作で排出して、音響特性の劣化を防ぐことができる電子機器を提供することを目的とする。
【課題を解決するための手段】
【００１６】
本発明による電子機器は、音声を出力するレシーバ、およびレシーバが出力した音声が通過する穴であるレシーバ音孔が設けられている第１の筐体と、音声を入力するマイクロフォン、およびマイクロフォンに入力する音声が通過する穴であるマイクロフォン音孔が設けられている第２の筐体とを備え、レシーバ音孔が設けられている面と、マイクロフォン音孔が設けられている面とが対向するように第１の筐体と第２の筐体とが折り畳まれる構造の電子機器において、レシーバ音孔は、レシーバ音孔が開放されている状態である開状態から、第２の筐体がレシーバ音孔を覆う状態である閉状態に変化した場合に、第２の筐体に対面する位置に設けられ、第１の筐体には、第１の筐体内に停留した液体をレシーバ音孔に流入した空気によって流出させるためのレシーバサブ音孔が設けられたことを特徴とする。
【００１７】
第１の筐体の内壁には、緩衝材を介してレシーバの端部と接する凸部が設けられ、レシーバには、音声を出力する方向の面を覆う防水シートが設置され、レシーバサブ音孔と連通し、レシーバ音孔に流入した空気が液体を押す空間であって、凸部と防水シートとに囲まれた空間である前気室が設けられていてもよい。
【００１８】
第１の筐体には、レシーバ音孔が設けられている面である表面を覆うスクリーンカバーが設置され、レシーバサブ音孔は、第１の筐体内に停留した液体が、表面とスクリーンカバーとの間を通って流出するように設けられた空間であってもよい。
【００１９】
レシーバサブ音孔は、第１の筐体内に停留した液体が、第１の筐体の内壁に設けられた凸部に形成された切り欠き部を通って流出するように設けられた空間であってもよい。
【００２０】
第１の筐体には、閉状態でマイクロフォン音孔と対向しない位置にレシーバ音孔が設けられていてもよい。
【００２１】
本発明による電子機器は、音声を出力するレシーバ、およびレシーバが出力した音声が通過する穴であるレシーバ音孔が設けられている第１の筐体と、音声を入力するマイクロフォン、およびマイクロフォンに入力する音声が通過する穴であるマイクロフォン音孔が設けられている第２の筐体とを備え、レシーバ音孔が設けられている面と、マイクロフォン音孔が設けられている面とが対向するように第１の筐体と第２の筐体とが折り畳まれる構造の電子機器において、マイクロフォン音孔は、マイクロフォン音孔が開放されている状態である開状態から、第１の筐体がマイクロフォン音孔を覆う状態である閉状態に変化した場合に、第１の筐体に対面する位置に設けられ、第２の筐体には、第２の筐体内に停留した液体をマイクロフォン音孔に流入した空気によって流出させるためのマイクロフォンサブ音孔が設けられたことを特徴とする。
【発明の効果】
【００２２】
本発明によれば、電子機器が開状態から閉状態に変化する際に生じる風圧によってレシーバ音孔またはマイクロフォン音孔に空気が流入し、流入した空気によってレシーバサブ音孔またはマイクロフォン音孔から第１の筐体内または第２の筐体内に停留している水を外部に排出することができる。従って、使用者による通常の使用動作に含まれる閉動作（開状態から閉状態に変化させる動作）によって第１の筐体内または第２の筐体内に停留している水を外部に排出して、レシーバまたはマイクロフォンの音響特性の劣化を防ぐことができる。
【００２３】
第１の筐体には、レシーバ音孔が設けられている面である表面を覆うスクリーンカバーが設置され、レシーバサブ音孔は、第１の筐体内に停留した液体が、表面とスクリーンカバーとの間を通って流出するように設けられた空間であるように構成された場合には、筐体内に停留している水を外部に排出するための道（流路）を設ける場合に比べて、筐体の実装自由度を高めることができる。
【００２４】
レシーバサブ音孔は、第１の筐体内に停留した液体が、第１の筐体の内壁に設けられた凸部に形成された切り欠き部を通って流出するように設けられた空間であるように構成された場合には、前気室に停留していた水を、より容易に筐体の外部に排出することができる。
【発明を実施するための最良の形態】
【００２５】
実施の形態１．
本発明の携帯電話機の第１の実施の形態について、図面を参照して説明する。図１は、第１の実施の形態の携帯電話機１の開状態における外観を示す外観斜視図である。なお、図１に示すように、第１の筐体１００のレシーバ音孔２を開放している状態、すなわち折り畳まれていない状態を開状態という。そして、第１の筐体１００のレシーバ音孔２が設けられている面と第２の筐体２００のマイクロフォン音孔５が設けられている面とが対向するように折り畳まれた状態を閉状態という。
【００２６】
本発明の携帯電話機１は、図１に示すように、ほぼ立方体形状における一面において情報を表示する表示部３が設けられている第１の筐体１００、ほぼ立方体形状の一面において情報を入力するための操作キーなどのキー操作部４が設けられている第２の筐体２００、および第１の筐体１００と第２の筐体２００とを結合するヒンジ部３００を含む。
【００２７】
そして、本発明の携帯電話機１は、図１に示すように、第１の筐体１００と第２の筐体２００とがヒンジ部３００で接続され、第１の筐体１００と第２の筐体２００とが対向するように折り畳まれる構造である。なお、そのような構造を有していれば、本発明を、ＰＨＳ（Ｐｅｒｓｏｎａｌ  Ｈａｎｄｙｐｈｏｎｅ  Ｓｙｓｔｅｍ）端末、ＰＤＡ（Ｐｅｒｓｏｎａｌ  Ｄｉｇｉｔａｌ  Ａｓｓｉｓｔａｎｃｅ）端末、ＩＣレコーダ、ビデオカメラ、デジタルカメラ、音楽再生プレーヤ、ページャ、一般加入者回線網に接続された電話機等の電子機器に適用することもできる。
【００２８】
図１に示すように、第１の実施の形態の携帯電話機１の第１の筐体１００には、レシーバ音孔２、表示部３、カメラ部６、レシーバサブ音孔７およびスクリーンカバー９が設けられている。また、図１に示すように、第１の実施の形態の携帯電話機１の第２の筐体２００には、キー操作部４、マイクロフォン音孔５、マイクロフォンサブ音孔８およびキーシートカバー１０が設けられている。
【００２９】
レシーバ音孔２は、第１の筐体１００とスクリーンカバー９とにおいて、通話相手の音声を出力するレシーバ１１（図１において図示せず。）に対応する位置であって、携帯電話機１が開状態から閉状態に変化した場合に、第２の筐体２００に対面する位置、すなわち閉状態への変化に起因する空気が流入する位置にそれぞれ設けられた穴である。使用者は、通話相手の音声を聞くために、スクリーンカバー９に設けられたレシーバ音孔２に耳を当てる。表示部６には、文字や記号、図形等で表された情報が表示される。キー操作部４は、携帯電話機１に電話番号等を入力するための操作キー等を含む。
【００３０】
マイクロフォン音孔５は、第２の筐体２００とキーシートカバー１０とにおいて、使用者の音声を音声信号に変換するマイクロフォン１７（図１において図示せず。）が設置されている位置に対応する位置であって、携帯電話機１が開状態から閉状態に変化した場合に、第１の筐体１００に対面する位置、すなわち閉状態への変化に起因する空気が流入する位置にそれぞれ設けられた穴である。使用者の音声は、マイクロフォン音孔５を通過してマイクロフォン１７に入力される。
【００３１】
カメラ部６は、使用者によってキー操作部４になされた操作に従って画像を撮影する。レシーバサブ音孔７は、携帯電話機１の内部に侵入した水を携帯電話機１の外部に排出するための穴であり、レシーバ音孔２と異なる位置に設けられる。マイクロフォンサブ音孔８は、携帯電話機１の内部に侵入した水を携帯電話機１の外部に排出するための穴であり、マイクロフォン音孔５と異なる位置に設けられる。
【００３２】
スクリーンカバー９は、第１の筐体１００において表示部３が設けられた面を覆うように設置され、表示部３およびカメラ部６を覆う。なお、スクリーンカバー９にはレシーバ音孔２が設けられている。
【００３３】
キーシートカバー１０は、第２の筐体２００においてキー操作部４が設けられた面を覆うように設置されている。なお、キーシートカバー１０にはマイクロフォン音孔５が設けられている。
【００３４】
図２は、第１の実施の形態の携帯電話機１の第１の筐体１００の構造を示す説明図である。図２（ａ）は、携帯電話機１の第１の筐体１００の正面図である。図２（ｂ）は、携帯電話機１の第１の筐体１００の斜視図である。図２（ａ）および図２（ｂ）に示すように、第１の筐体１００およびスクリーンカバー９において、レシーバ１１に対応する位置にレシーバ１１が出力した音声が通過するレシーバ音孔２が設けられている。
【００３５】
また、図２（ａ）および図２（ｂ）に示すように、第１の筐体１００には、レシーバ１１に対応する位置であって、レシーバ音孔２と異なる位置に、第１の筐体１００の内部に侵入した水を携帯電話機１の外部に排出するためのレシーバサブ音孔７が設けられている。なお、レシーバサブ音孔７は、第１の筐体１００においてレシーバ音孔２が設けられている面に設けられている。
【００３６】
図２（ｃ）は、携帯電話機１の第１の筐体１００の断面を示す断面図である。図２（ｃ）は、図２（ａ）においてＡ１とＡ２とを通る直線において切断された部分の断面を示している。
【００３７】
図２（ｃ）に示すように、第１の筐体１００の内部には、レシーバ１１、および基板１６が設置されている。また、第１の筐体１００におけるレシーバ１１に対応する位置にはレシーバ音孔２およびレシーバサブ音孔７が設けられている。また、スクリーンカバー９におけるレシーバ１１に対応する位置にはレシーバ音孔２が設けられている。
【００３８】
なお、レシーバサブ音孔７は、レシーバ音孔２よりも小さい径の穴であることが望ましい。また、レシーバ音孔２は、携帯電話機１が閉状態である場合に、マイクロフォン音孔５の近傍でない位置（マイクロフォン音孔５から離れた位置）に設置されることが望ましい。
【００３９】
また、図２（ｃ）に示すように、レシーバサブ音孔７は、スクリーンカバー９に覆われている。すなわち、スクリーンカバー９と第１の筐体１００におけるレシーバ音孔２が設けられている面とに囲まれている。そして、レシーバ音孔２に流入した空気によって押された水は、第１の筐体１００に沿って、第１の筐体１００とスクリーンカバー９とに囲まれた空間を通過して外部に流出する。従って、第１の筐体１００は、前気室１５に停留している水がレシーバサブ音孔７を通って外部に流出するように構成されている。
【００４０】
また、第１の筐体１００の内壁において、レシーバ１１の端部に対応する位置には凸部が設けられており、クッション（緩衝材）１２を介してレシーバ１１の端部に接する。そして、レシーバ１１における音声を出力する面（レシーバ音孔２が設けられている方向の面）には、レシーバ１１が出力した音声に応じて振動するように、当該面を覆う防水シート１３が設置されている。
【００４１】
そして、第１の筐体１００の内部には、防水シート１３、第１の筐体１００の内壁、および第１の筐体１００の内壁に設けられた凸部に囲まれた空間である前気室１５が設けられている。なお、レシーバ１１が出力した音声は、防水シート１３、前気室１５、およびレシーバ音孔２を介して第１の筐体１００の外部に出力される。
【００４２】
防水シート１３について説明する。従来の携帯電話機に用いられるレシーバや、スピーカ、マイクロフォンの前面（音声を出力または入力する方向の面）には、防塵や防水を目的としたメッシュシートや不織布が貼付されている。メッシュシート等には、撥水処理が施されているが、防水効果は小さい。そこで、防水シート１３には、特殊技術で作られた空気や水を通しにくい素材（例えば、合成樹脂やウレタン、フッ素樹脂、ＰＥＴ（Ｐｏｌｙｅｔｈｙｌｅｎｅ  Ｔｅｒｅｐｈｔｈａｌａｔｅ）、ポリイミド等）を用いる。
【００４３】
防水シート１３には、空気を通しにくい素材が用いられているので、防水シート１３は、レシーバ１１が出力した音声に応じて振動する。そのため、防水シート１３が振動するように、防水シート１３とレシーバ１１との間、および防水シート１３と第１の筐体１００の内壁との間には、空間が設けられることが望ましい。そして、レシーバ１１が出力した音声は、防水シート１３を介して出力される。
【００４４】
防水シート１３は、レシーバ音孔２またはレシーバサブ音孔７を通過して第１の筐体１００の内部に水が侵入した場合に、レシーバ１１への水の侵入を防ぐ。
【００４５】
携帯電話機１の動作について、図面を参照して説明する。図３は、携帯電話機１の開閉動作を示す説明図である。図３に示すように、開状態の携帯電話機１の第１の筐体１００は、ヒンジ部３００を中心に回転して閉状態に変化する。
【００４６】
前述したように、防水シート１３が、第１の筐体１００の内部に侵入した水によるレシーバ１１の浸水を防ぐのであるが、前気室１５には水（水滴）が停留する。
【００４７】
前気室１５に水が停留した状態で、携帯電話機１が開状態から閉状態に変化するときに生じた風圧によって、閉状態で第２の筐体２００に対向する面に設けられているレシーバ音孔２を通過した空気が前気室１５に流入する。
【００４８】
レシーバ音孔２を通過して前気室１５に流入した空気は、前気室１５に停留していた水を押すので、水は、レシーバサブ音孔７を通過して第１の筐体１００の外部に排出される（流出する）。
【００４９】
本実施の形態では、第１の筐体１００において、閉状態で第２の筐体２００に対向する面にレシーバ音孔２を設け、他の面にレシーバサブ音孔７を設けたので、携帯電話機１が開状態から閉状態に変化する際に生じる風圧によって前気室１５に停留している水を外部に排出することができる。従って、使用者による携帯電話機１を振る動作がなされない場合であっても、通常の使用動作に含まれる閉動作（開状態から閉状態に変化させる動作）によって前気室１５に停留している水を外部に排出して、レシーバ１１の音響特性の劣化を防ぐことができる。
【００５０】
また、本実施の形態では、前気室１５に停留している水を外部に排出するためにレシーバサブ音孔７を用いるので、前気室１５に停留している水を外部に排出するための道（流路）を設ける場合に比べて、第１の筐体１００の実装自由度を高めることができる。
【００５１】
なお、図１および図３に示すように、第２の筐体２００にマイクロフォンサブ音孔８を設け、携帯電話機１が開状態から閉状態に変化する際に生じる風圧によって前気室１９に停留している水を外部に排出するように構成されていてもよい。
【００５２】
具体的には、第２の筐体２００に、マイクロフォン１７に対応する位置であって、マイクロフォン音孔５と異なる位置に、第２の筐体２００の内部に侵入した水を第２の筐体２００の外部に排出するためのマイクロフォンサブ音孔８を設ける。
【００５３】
ここで、図３に示すように、第２の筐体２００の内部には、マイクロフォン１７、および基板２０が設置されている。また、第２の筐体２００におけるマイクロフォン１７に対応する位置にはマイクロフォン音孔５およびマイクロフォンサブ音孔８が設けられている。また、キーシートカバー１０におけるマイクロフォン１７に対応する位置にはマイクロフォン音孔５が設けられている。
【００５４】
また、図３に示すように、マイクロフォンサブ音孔８は、キーシートカバー１０に覆われている。すなわち、キーシートカバー１０と第２の筐体２００におけるマイクロフォン音孔５が設けられている面とに囲まれている。そして、マイクロフォン音孔５に流入した空気によって押された水は、第２の筐体２００とキーシートカバー１０とに囲まれた空間を通過して外部に流出する。従って、第２の筐体２００は、前気室１９に停留している水がマイクロフォンサブ音孔８を通って外部に流出するように構成されている。
【００５５】
また、第２の筐体２００の内壁において、マイクロフォン１７の端部に対応する位置には凸部が設けられており、クッション１８を介してマイクロフォン１７の端部に接する。そして、マイクロフォン１７における音声を入力する面（マイクロフォン音孔５が設けられている方向の面）には、マイクロフォン１７に入力される音声に応じて振動するように、当該面を覆う防水シート２３が設置されている。
【００５６】
そして、第２の筐体２００の内部には、防水シート２３、第２の筐体２００の内壁、および第２の筐体２００の内壁に設けられた凸部に囲まれた空間である前気室１９が設けられている。なお、音声は、マイクロフォン音孔５、前気室１９および防水シート２３を介して第２の筐体２００の外部からマイクロフォン１７に入力される。
【００５７】
なお、防水シート２３には、特殊技術で作られた空気や水を通しにくい素材（例えば、合成樹脂やウレタン、フッ素樹脂、ＰＥＴ、ポリイミド等）を用いる。
【００５８】
防水シート２３には、空気を通しにくい素材が用いられるので、マイクロフォン１７に防水シート２３を介して（防水シート２３が振動して）音声が入力されるように、防水シート２３とマイクロフォン１７との間、および防水シート２３と第２の筐体２００の内壁との間には、空間が設けられることが望ましい。
【００５９】
防水シート２３は、マイクロフォン音孔５またはマイクロフォンサブ音孔８を通過して第２の筐体２００の内部に水が侵入した場合に、マイクロフォン１７への水の侵入を防ぐ。
【００６０】
前気室１９に水が停留した状態で、携帯電話機１が開状態から閉状態に変化するときに生じた風圧によって、閉状態で第１の筐体１００に対向する面に設けられているマイクロフォン音孔５を通過した空気が前気室１９に流入する。
【００６１】
マイクロフォン音孔５を通過して前気室１９に流入した空気は、前気室１９に停留していた水を押すので、水は、マイクロフォンサブ音孔８を通過して第２の筐体２００の外部に排出される（流出する）。
【００６２】
つまり、第２の筐体２００において、閉状態で第１の筐体１００に対向する面にマイクロフォン音孔５を設け、他の面にマイクロフォンサブ音孔８を設けたので、携帯電話機１が開状態から閉状態に変化する際に生じる風圧によって前気室１９に停留している水を外部に排出することができる。従って、使用者による携帯電話機１を振る動作がなされない場合であっても、通常の使用動作に含まれる閉動作（開状態から閉状態に変化させる動作）によって前気室１９に停留している水を外部に排出して、マイクロフォン１７の音響特性の劣化を防ぐことができる。
【００６３】
また、本実施の形態では、前気室１９に停留している水を外部に排出するためにマイクロフォンサブ音孔８を用いるので、前気室１９に停留している水を外部に排出するための道（流路）を設ける場合に比べて、第２の筐体２００の実装自由度を高めることができる。
【００６４】
なお、着信音等を出力するスピーカが出力した音声が通過するスピーカ音孔を通って筐体内に水が侵入することも考えられる。そこで、図２に示す構成をスピーカの周囲に適用してもよい。
【００６５】
実施の形態２．
本発明の携帯電話機の第２の実施の形態について、図面を参照して説明する。図４は、第２の実施の形態の携帯電話機１の第１の筐体１００の断面を示す断面図である。図４は、第１の実施の形態で示した図２（ａ）において、Ａ１とＡ２とを通る直線において切断された部分の断面を示している。
【００６６】
図２（ｃ）に示す第１の実施の形態の第１の筐体１００には、レシーバ音孔２が設けられている面にレシーバサブ音孔７が設けられているが、図４に示す第２の実施の形態の第１の筐体１００には、レシーバ音孔２が設けられている面とは異なる面（第１の筐体１００において側面）にレシーバサブ音孔７が設けられている。
【００６７】
具体的には、図４に示すように、第１の筐体１００の内壁においてレシーバ１１の端部に対応する位置に設けられている凸部の一部が切り欠かれ、第１の筐体１００のレシーバ音孔２が設けられている面とは異なる面に穴が設けられている。
【００６８】
そして、前気室１５に水が停留した状態で、携帯電話機１が開状態から閉状態に変化するときに生じた風圧によって、閉状態で第２の筐体２００に対向する面に設けられているレシーバ音孔２を通過した空気が前気室１５に流入する。
【００６９】
レシーバ音孔２を通過して前気室１５に流入した空気は、前気室１５に停留していた水を押すので、水は、レシーバサブ音孔７を通過して第１の筐体１００の外部に排出される（流出する）。
【００７０】
本実施の形態では、第１の実施の形態の第１の筐体１００に比べて、より容易に前気室１５に停留していた水を第１の筐体１００の外部に排出することができる。
【００７１】
なお、図２（ｃ）、図３、および図４に示すように、第１の筐体１００の内壁におけるレシーバ１１の端部に対応する位置および第２の筐体２００におけるマイクロフォン１７の端部に対応する位置には凸部が設けられているが、筐体の内壁に凸部を設ける代わりに、レシーバ１１の端部またはマイクロフォン１７の端部にスペーサまたはクッションを貼付等して、前気室を形成してもよい。
【００７２】
そのような構成によれば、筐体の内部に凸部を設ける必要がなくなり、金型等の製造コストを削減することができる。
【産業上の利用可能性】
【００７３】
本発明は、携帯電話機、ＰＨＳ端末、ＰＤＡ端末、ＩＣレコーダ、ビデオカメラ、デジタルカメラ、音楽再生プレーヤ、ページャ、一般加入者回線網に接続された電話機等の電子機器に適用することができる。
【図面の簡単な説明】
【００７４】
【図１】第１の実施の形態の携帯電話機の開状態における外観を示す外観斜視図である。
【図２】第１の実施の形態の携帯電話機の第１の筐体の構造を示す説明図である。
【図３】携帯電話機の開閉動作を示す説明図である。
【図４】第２の実施の形態の携帯電話機の第１の筐体の断面図である。
【図５】従来の携帯電話機の一構成例を示す説明図である。
【符号の説明】
【００７５】
１  携帯電話機
２  レシーバ音孔
３  表示部
４  キー操作部
５  マイクロフォン音孔
６  カメラ部
７  レシーバサブ音孔
８  マイクロフォンサブ音孔
９  スクリーンカバー
１０  キーシートカバー
１１  レシーバ
１２、１８  クッション
１３、２３  防水シート
１５、１９  前気室
１６、２０  基板
１７  マイクロフォン
【図１】
2008167097.tif 000003
【図２】
2008167097.tif 000004
【図３】
2008167097.tif 000005
【図４】
2008167097.tif 000006
【図５】
2008167097.tif 000007